(57)【特許請求の範囲】
【請求項１】
給湯配管系と追焚配管系とに共通して用いられ、給湯配管系の受熱管と追焚配管系の受熱管とが設けられた熱交換部と、この熱交換部を加熱する燃焼部と、上記燃焼部を制御するとともに、上記追焚配管系に接続された浴槽の水を循環させるポンプの運転を制御する制御部とを備えた一缶二水路式給湯装置において、
上記制御部は、少なくとも燃焼停止中、またはポンプ運転を伴って燃焼を実行中のいずれか一方において、上記給湯配管系の受熱管内の湯の温度が所定のポンプ運転温度より高いときには上記ポンプを運転状態にし、上記湯の温度が上記ポンプ運転温度以下であるときには上記ポンプを停止状態にすることを特徴とする一缶二水路式給湯装置。
【請求項２】
給湯配管系と追焚配管系とに共通して用いられ、給湯配管系の受熱管と追焚配管系の受熱管とが設けられた熱交換部と、この熱交換部を加熱する燃焼部と、上記燃焼部を制御するとともに、上記追焚配管系に接続された浴槽の水を循環させるポンプの運転を制御する制御部とを備えた一缶二水路式給湯装置において、
上記制御部は、上記燃焼部での燃焼停止中に、上記給湯配管系の受熱管内の湯の温度が所定のポンプ運転温度より高いときには上記ポンプを運転状態にし、上記湯の温度が上記ポンプ運転温度以下であるときには上記ポンプを停止状態にすることを特徴とする一缶二水路式給湯装置。
【請求項３】
給湯配管系と追焚配管系とに共通して用いられ、給湯配管系の受熱管と追焚配管系の受熱管とが設けられた熱交換部と、この熱交換部を加熱する燃焼部と、上記燃焼部を制御するとともに、上記追焚配管系に接続された浴槽の水を循環させるポンプの運転を制御する制御部とを備えた一缶二水路式給湯装置において、
上記制御部は、上記ポンプ運転と燃焼部での燃焼を行って追焚を実行中に、上記給湯配管系の受熱管内の湯の温度が上記ポンプ運転温度に所定の時間経過しても達しないとき、またはポンプ運転温度以下に下がったときには、ポンプを停止させるとともに燃焼を停止させることを特徴とする一缶二水路式給湯装置。
【請求項４】
上記制御部は、上記ポンプ運転と燃焼を伴った追焚実行時において、給湯配管系の滞留水の沸騰を防止するために、追焚燃焼OFF温度およびこれより低い追焚燃焼ＯＮ温度に基づき、燃焼部での燃焼をヒステリシス制御し、上記ポンプ運転温度が上記追焚燃焼ＯＮ温度より低い温度に設定されていることを特徴とする請求項１〜３のいずれかに記載の一缶二水路式給湯装置。
【請求項５】
給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、
少なくとも燃焼停止中、またはポンプ運転を伴って燃焼を実行中のいずれか一方において、上記給湯配管系の受熱管内の湯の温度が、所定のポンプ運転温度より高いときには上記ポンプを運転状態にし、上記湯の温度が上記ポンプ運転温度以下であるときには上記ポンプを停止状態にすることを特徴とする一缶二水路式給湯装置の制御方法。
【請求項６】
給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、
燃焼停止中に、上記給湯配管系の受熱管内の湯の温度が、所定のポンプ運転温度より高いときには上記ポンプを運転状態にし、上記湯の温度が上記ポンプ運転温度以下であるときには上記ポンプを停止状態にすることを特徴とする一缶二水路式給湯装置の制御方法。
【請求項７】
給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、
上記ポンプ運転と燃焼部での燃焼を行って追焚を実行中に、上記給湯配管系の受熱管内の湯の温度が上記ポンプ運転温度に所定の時間経過しても達しないとき、またはポンプ運転温度以下に下がったときには、ポンプを停止させるとともに燃焼を停止させることを特徴とする一缶二水路式給湯装置の制御方法。
【請求項８】
上記ポンプ運転と燃焼を伴った追焚実行時において、給湯配管系の滞留水の沸騰を防止するために、追焚燃焼OFF温度およびこれより低い追焚燃焼ＯＮ温度に基づき、燃焼部での燃焼をヒステリシス制御し、
上記ポンプ運転温度が上記追焚燃焼ＯＮ温度より低い温度に設定されていることを特徴とする請求項５〜７のいずれかに記載の一缶二水路式給湯装置の制御方法。
【発明の詳細な説明】
【０００１】
【発明の属する技術分野】
この発明は、一缶二水路式の給湯装置の制御方法に関する。
【０００２】
【従来の技術】
一般に、一缶二水路式給湯装置は、一つのバーナおよび熱交換器を、給湯配管系と追焚配管系とで共用している。したがって、装置全体を小型化することができるとともに安価に製造することができる等のメリットがある。
【０００３】
ところがその反面、一缶二水路式給湯装置においては、給湯配管系と追焚配管系とで一つの熱交換器を共用しているため、各種の不具合もある。例えば、追焚燃焼中には、熱交換器に設置された給湯配管系の給湯水管（受熱管）内の滞留水が高温に加熱される。このため、給湯配管系の使用時には、使用開始直後に高温の湯が給湯栓から吐出され、使用者に苦痛を与えるおそれがある。そこで、特開平６−２７２９５４号公報に記載のものにおいては、追焚終了後に追焚配管系の循環用ポンプで運転（ポストポンプ）して風呂水を所定時間循環させ、給湯水管内の滞留水の温度を低下させるようにしている。
【０００４】
【発明が解決しようとする課題】
しかしながら、一缶二水路式給湯装置においては、未だ解決されていない問題がある。
例えば、給湯配管系の使用を一旦停止した直後に再度給湯配管系を使用すると、後沸き現象によって高温になった給湯水管内の湯が給湯栓から吐出されるため、使用者に苦痛を与えることがあり、このような事態は上記公報に記載のものでは解消することができない。
また、使用者が給湯栓を開いてから給湯装置が燃焼を開始し、その燃焼熱によって給水が湯になるまでの間は、設定温度より低い湯が出湯されるという、いわゆるアンダーシュートが発生するが、これを防止するために熱交換器内に所定温度範囲の温水を確保する必要がある。もし、そのような温水を確保することができなければ、アンダーシュートが発生し、使用者に不快感を与えてしまうからである。
さらに、追焚開始直後に使用者によって追焚が停止された場合にポストポンプが行われると、風呂内の冷水が循環するため、熱交換器が冷却されて結露が発生するという問題がある。さらに、追焚燃焼中に、給湯配管系を流れる水量をフローセンサが検出することができない程度に給湯栓１４が誤って開かれたような場合には、バーナの燃焼量が増加しないにも拘わらず追焚用の燃焼熱が給湯側に費やされてしまうため、追焚燃焼が終了しないような事態に陥ってしまう。
【０００５】
【課題を解決するための手段】
上記の問題を解決するために、請求項１の発明は、給湯配管系と追焚配管系とに共通して用いられ、給湯配管系の受熱管と追焚配管系の受熱管とが設けられた熱交換部と、この熱交換部を加熱する燃焼部と、上記燃焼部を制御するとともに、上記追焚配管系に接続された浴槽の水を循環させるポンプの運転を制御する制御部とを備えた一缶二水路式給湯装置において、上記制御部は、少なくとも燃焼停止中、またはポンプ運転を伴って燃焼を実行中のいずれか一方において、記給湯配管系の受熱管内の湯の温度が所定のポンプ運転温度より高いときには上記ポンプを運転状態にし、上記湯の温度が上記ポンプ運転温度以下であるときには上記ポンプを停止状態にすることを特徴とする。
【０００６】
請求項２の発明は、給湯配管系と追焚配管系とに共通して用いられ、給湯配管系の受熱管と追焚配管系の受熱管とが設けられた熱交換部と、この熱交換部を加熱する燃焼部と、上記燃焼部を制御するとともに、上記追焚配管系に接続された浴槽の水を循環させるポンプの運転を制御する制御部とを備えた一缶二水路式給湯装置において、上記制御部は、上記燃焼部での燃焼停止中に、上記給湯配管系の受熱管内の湯の温度が所定のポンプ運転温度より高いときには上記ポンプを運転状態にし、上記湯の温度が上記ポンプ運転温度以下であるときには上記ポンプを停止状態にすることを特徴とする。
請求項３の発明は、給湯配管系と追焚配管系とに共通して用いられ、給湯配管系の受熱管と追焚配管系の受熱管とが設けられた熱交換部と、この熱交換部を加熱する燃焼部と、上記燃焼部を制御するとともに、上記追焚配管系に接続された浴槽の水を循環させるポンプの運転を制御する制御部とを備えた一缶二水路式給湯装置において、上記制御部は、上記ポンプ運転と燃焼部での燃焼を行って追焚を実行中に、上記給湯配管系の受熱管内の湯の温度が上記ポンプ運転温度に所定の時間経過しても達しないとき、またはポンプ運転温度以下に下がったときには、ポンプを停止させるとともに燃焼を停止させることを特徴とする。
請求項４の発明は、請求項１〜３のいずれかに記載の一缶二水路式給湯装置において、上記制御部は、上記ポンプ運転と燃焼を伴った追焚実行時において、給湯配管系の滞留水の沸騰を防止するために、追焚燃焼OFF温度およびこれより低い追焚燃焼ＯＮ温度に基づき、燃焼部での燃焼をヒステリシス制御し、上記ポンプ運転温度が上記追焚燃焼ＯＮ温度より低い温度に設定されていることを特徴とする。
【０００７】
また、請求項５の発明は、給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、少なくとも燃焼停止中、またはポンプ運転を伴って燃焼を実行中のいずれか一方において、上記給湯配管系の受熱管内の湯の温度が、所定のポンプ運転温度より高いときには上記ポンプを運転状態にし、上記湯の温度が上記ポンプ運転温度以下であるときには上記ポンプを停止状態にすることを特徴とする。
【０００８】
請求項５の発明は、給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、燃焼停止中、またはポンプ運転を伴って燃焼を実行中に、上記給湯配管系の受熱管内の湯の温度が、所定のポンプ運転温度より高いときには上記ポンプを運転状態にし、上記湯の温度が上記ポンプ運転温度以下であるときには上記ポンプを停止状態にすることを特徴とする。
請求項６の発明は、給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、燃焼停止中に、上記給湯配管系の受熱管内の湯の温度が、所定のポンプ運転温度より高いときには上記ポンプを運転状態にし、上記湯の温度が上記ポンプ運転温度以下であるときには上記ポンプを停止状態にすることを特徴とする。
請求項７の発明は、給湯配管系と追焚配管系とに共通して用いられ、給湯配管系の受熱管と追焚配管系の受熱管とが設けられた熱交換部と、この熱交換部を加熱する燃焼部とを備え、上記追焚配管系には浴槽の水を循環させるポンプが設けられた一缶二水路式給湯装置において、上記ポンプ運転と燃焼部での燃焼を行って追焚を実行中に、上記給湯配管系の受熱管内の湯の温度が上記ポンプ運転温度に所定の時間経過しても達しないとき、またはポンプ運転温度以下に下がったときには、ポンプを停止させるとともに燃焼を停止させることを特徴とする。
請求項８の発明は、請求項５〜７のいずれかに記載の一缶二水路式給湯装置の制御方法において、上記ポンプ運転と燃焼を伴った追焚実行時において、給湯配管系の滞留水の沸騰を防止するために、追焚燃焼OFF温度およびこれより低い追焚燃焼ＯＮ温度に基づき、燃焼部での燃焼をヒステリシス制御し、上記ポンプ運転温度が上記追焚燃焼ＯＮ温度より低い温度に設定されていることを特徴とする。
【０００９】
【発明の実施の形態】
以下、この発明の一実施の形態について図１〜図２を参照して説明する。
図１はこの発明に係る一缶二水路式ガス給湯装置の概略構成を示すものであり、この給湯装置は、一つの缶（図示せず）と、この缶の下部に収容されたガスバーナ（熱発生部）１と、缶の上部に収容された熱交換部２と、ガスバーナ１に燃焼空気を供給するためのファン（図示せず）とを有している。上記バーナ１にガスを供給する手段は、ガス管３と、このガス管３にそれぞれ設けられた主電磁開閉弁４および電磁比例弁５とを有している。また、バーナ１の近傍には、点火機構（図示）が配置されている。
【００１０】
上記ガスバーナ１および熱交換部２は、給湯配管系１０と追焚配管系２０との両者に共通に用いられている。すなわち、上記熱交換部２は、多数の薄肉のフィンプレート２ａを有しており、このフィンプレート２ａには給湯配管系１０の受熱管たる給湯水管１１と、追焚配管系２０の受熱管たる追焚水管２１とがそれぞれ貫通状態で配置されている。
【００１１】
まず、給湯配管系１０について説明すると、上記受熱管１１の入口端には、給湯配管系１０の給水管１２が接続され、出口端には給湯管１３が接続されている。給湯管１３の末端には給湯栓１４が設けられている。また、給水管１２と給湯管１３との間には、２本のバイパス管１５，１６が受熱管１１と並列に設けられている。図１において、バイパス管１５と給水管１２および給湯管１３との接続点が符号Ｐ１，Ｐ２でそれぞれ示され、バイパス管１６と給水管１２および給湯管１３との接続点が符号Ｐ３，Ｐ４でそれぞれ示されている。
【００１２】
熱交換部２に近い方のバイパス管１５には弁等が設けられておらず、給水管１２内を流れ水は、接続点Ｐ１において受熱管１１側とバイパス管１２側とに常に一定の割合（例えば、７０：３０）で別れる。そして、接続点Ｐ２において再び合流する。
【００１３】
一方、熱交換部２から遠い方のバイパス管１６には、第１の流量制御弁ＧＭ２が設けられている。この流量制御弁ＧＭ２は、例えば次のように構成されたギアモータ駆動式のものが用いられている。すなわち、ギアモータ駆動式の流量制御弁は、管内に設けられた環状の弁座と、この弁座に対して移動可能な弁体と、この弁体に一端部が固定されたシャフトと、このシャフトの他端部に減速ギヤ列を介して接続されたモータとを有している。上記シャフトは、弁ケースに螺合されている。したがって、モータが回転すると、シャフトがその軸方向へ移動し、これによって弁体と弁座との間の開度を変えることができるようになっている。したがって、接続点Ｐ３から給湯水管１１側へ流れる水量とバイパス管１６側へ流れる水量との割合は、適宜に変えることができる。なお、流量制御弁ＧＭ２と同様に構成された流量制御弁ＧＭ１が接続点Ｐ２，Ｐ４間の給湯管１３にも設けられている。
【００１４】
上記給湯配管系１０には、第１、第２の二つのフローセンサＦＬ１，ＦＬ２が設けられている。第１のフローセンサＦＬ１は、接続点Ｐ１，Ｐ３間の給水管１２に配置されており、第２のフローセンサＦＬ２は、接続点Ｐ４と給湯栓１４との間の給湯管１３に配置されている。
【００１５】
また、給湯配管系１０には、４つの温度センサＴＨIN、ＴＨZ、ＴＨOUT、ＴＨMIXが設けられている。温度センサＴＨINは、接続点Ｐ３より上流側の給水管１２に配置されており、給水温度を検出する。温度センサＴＨZは、給湯水管１１のベンド部に配置されており、給湯水管１１内の水の温度を検出する。温度センサＴＨOUTは、給湯水管１１の出口近傍の給湯管１３に配置されており、給湯水管１１から出る湯の温度を検出する。温度センサＴＨMIXは、接続点Ｐ４より下流側の給湯管１３に配置されており、給湯栓１４から出る湯の温度を検出する。
【００１６】
一方、上記追焚配管系２０であるが、上記追焚水管２１の入口端と浴槽６との間には復路管２２が接続され、追焚水管２１の出口端と浴槽６との間には往路管２３が接続されている。復路管２２には、ポンプ２４、温度センサＴＨHRおよび流水スイッチＦＳが設けられている。温度センサＴＨHRは、浴槽６から復路管２２に流入する湯（または水）の温度を検出する。したがって、温度センサＴＨHRは、浴槽６内の湯の温度を実質的に検出する。また、流水スイッチＦＳは、復路管２２内を湯が流れているか否かを検出するためのものであり、復路管２２内を湯が流れている場合にはＯＮ状態になり、流れていない場合にはＯＦＦ状態になっている。流水スイッチＦＳがＯＦＦ状態のときには、後述する追焚スイッチがＯＮ操作されたとしても、バーナ１を点火させないようになっている。
【００１７】
上記給湯配管系１０の給湯管１３と追焚配管系２０の復路管２２との間には、浴槽６への湯張りのための注湯管３０が設けられており、注湯管３０と給湯管１３および復路管２２との接続点が符号Ｐ５，Ｐ６で示されている。注湯管３０には、電磁開閉弁からなる注湯弁３１が設けられている。
【００１８】
上記給湯装置は、さらに、制御ユニット５０とリモートコントローラ６０とを備えている。制御ユニット５０には、種々の検出手段からの検出信号が入力される。ここでは、温度センサＴＨIN、ＴＨZ、ＴＨOUT、ＴＨMIX、ＴＨHR、フローセンサＦＬ１，ＦＬ２および流水スイッチＦＳの検出信号が入力されている。なお、以下においては、各検出手段の検出信号には各検出手段と同一の符号を用いるものとする。制御ユニット５０は、各検出信号に基づいて、ガス供給手段の主電磁開閉弁４および電磁比例弁５、点火機構、ファン、流量制御弁ＧＭ1，ＧＭ2、ポンプ２４および注湯弁３１を制御する。一方、リモートコントローラ６０は、運転スイッチ、風呂自動運転スイッチ、追焚スイッチ、温度設定部および表示部（いずれも図示せず）を備えており、これらのスイッチのＯＮ、ＯＦＦ情報、設定温度情報を制御ユニット５０に出力するととともに、これの情報を表示部に表示する。後述するように、表示部は制御ユニット５０からのエラー情報も表示する。
【００１９】
上記構成の給湯装置を用いて給湯、追焚および自動湯張りを行う場合において、まず給湯を行う場合には、リモートコントローラ６０の運転スイッチをＯＮ状態にし、給湯栓１４を開く。すると、制御ユニット５０は、設定温度、給水管１２に供給される水の給水量ＦＬ１、給水温度ＴＨIN、出湯温度ＴＨOUTおよび給湯量ＦＬ２に基づいて電磁比例制御弁５および流量制御弁ＧＭ１，ＧＭ２を制御する。これにより、出湯栓１４から設定温度に等しい温度の湯が吐出される。
なお、電磁比例制御弁５等の制御は、従来のものと同様であり、この発明の要部でもないので、その詳細な説明は省略する。これは、次の追焚および自動湯張りについても同様である。また、給水量ＦＬ１と給湯量ＦＬ２が所定の大きさ以上の差がある場合には、配管中に水漏れがあるものとして、バーナの燃焼を停止するとともに、表示部がエラーの表示をする。
【００２０】
追焚を行う場合には、リモートコントローラ６０の追焚スイッチをＯＮ状態にする。すると、まずポンプ２４が起動され、浴槽６内の湯が復路管２２および往路管２３を通って循環する。復路管２２内の湯の流れを流水スイッチＦＳが検出すると、ガスバーナ１が点火される。これによって、浴槽６内の湯が加熱される。そして、温度センサＴＨHRによる検出信号が設定温度に達すると、自動的にバーナ１の燃焼が停止されるとともに、ポンプ２４が停止される。
【００２１】
自動湯張りを行う場合には、リモートコントローラ６０の風呂自動運転スイッチをＯＮ状態にする。すると、注湯弁３１が開弁され、給湯水管１１において加熱された湯が注湯管３０を通り、復路管２２および往路管２３を介して浴槽６に供給される。勿論、浴槽６に供給される湯の温度が設定温度になるように、制御ユニット５０によって制御される。そして、浴槽６内に所定の量の湯が溜まると、浴槽６の水量を検出する検出手段（図示せず）の検出信号に基づいて注湯弁３１が閉じられるとともに、バーナ１の燃焼が停止され、湯張りが終了する。
【００２２】
湯張りの終了後は、浴槽の湯をほぼ一定の温度に維持するための保温運転が行われる。保温運転中は、所定時間毎に追焚が実行される。すなわち、湯張りの終了後、所定時間経過すると、自動的に追焚が行われる。このときの追焚は、追焚スイッチをＯＮにしたときの追焚と同様である。そして、浴槽６の湯の温度ＴＨHRが設定温度になると追焚が停止し、再度所定時間が経過するまでバーナ１およびポンプ２４が停止した待機状態になる。
【００２３】
ここで、前述したように、追焚中に給湯水管１１内の滞留水が高温に加熱されたり、あるいは追焚停止後または給湯停止後に熱交換部２のフィン２ａ等の蓄熱によって滞留水が高温に加熱されるという問題がある。また、追焚の開始直後に追焚スイッチをＯＦＦにして、ポストポンプが行われると、浴槽内の冷水によって熱交換部２が冷水され、フィン２ａおよび受熱管１１，２１に結露が発生することがある。このような不具合を防止するために、制御ユニット５０によって次のような制御が実行されている。この制御を図２〜図４に示すフローチャートに基づいて説明する。
【００２４】
プログラムのスタート後、まずステップＳ１において自動湯張りの保温運転中か否かが判断される。保温運転中である場合には、ステップＳ２において所定の待機時間が経過したか否かが判断される。所定の待機時間が経過している場合には、ステップＳ３においてバーナ１のフレームロッド（図示せず）がＯＮ状態であるか否かが判断される。この場合、フレームロッドがＯＮ状態であるということは、バーナ１が燃焼中であり、給湯中であることを意味する。したがって、ステップ３は、給湯中であるか否かを判断するものであると言い換えることができる。
【００２５】
ステップＳ１において、保温運転中でないと判断された場合には、ステップＳ４において追焚ＳＷがＯＮ操作されたか否かが判断される。ＯＮ操作されていない場合には、ステップＳ１に戻る。ＯＮ操作されている場合には、ステップＳ３が実行される。
【００２６】
ステップ３において、フレームロッドがＯＮ状態であると判断された場合、つまり給湯が行われていると判断された場合には、ステップ５においてポンプ２４が間欠運転される。ポンプ４の間欠運転は、浴槽６内の湯を復路管２２に少量流して、その温度を温度センサＴＨHRによって検出させるためのものである。その後、ステップ６において、浴槽６の湯の温度ＴＨHR、給湯の設定温度および給湯量、並びに電磁比例弁５の開度に基づいて、給湯を継続しつつ、追焚が可能であるか否かが判断される。つまり、バーナ１が給湯燃焼に加えて追焚燃焼をすることができるだけの余裕があるか否かが判断される。
【００２７】
追焚が可能である場合には、ステップ７において同時運転制御が行われ、給湯と追焚との両者が同時に実行される。
一方、追焚燃焼を行う余裕がない場合には、ステップＳ３〜Ｓ６を繰り返す。つまり、給湯が終了するまで待機することになる。そして、給湯が終了すると、フレームロッドがＯＦＦ状態になるので、ステップ３における判断が否定判断になる。
【００２８】
フレームロッドがＯＦＦ状態であるときには、ステップＳ８においてポンプ２４が起動され、ステップＳ９において点火機構によってバーナ１が点火される。これにより、追焚燃焼が開始され、フレームロッドがＯＮ状態になる。勿論、ステップ９の実行前には、流水スイッチＦＳがＯＮ状態になっていることが確認されるが、フローチャートを簡潔にするために、そのようなステップは省略してある。以下、同様にフローチャートに示すことなく説明することがある。
【００２９】
その後、ステップＳ１０において、給湯水管１１のベンド部に設けられた温度センサＴＨZによる検出温度、つまり給湯水管１１内の湯の温度ＴＨZが予め設定されたポンプＯＮ設定温度（ポンプ運転温度）ＴＰ0より高いか否かが判断される。なお、ポンプＯＮ設定温度ＴＰ0は、例えば６０°Ｃ程度に設定されている。
【００３０】
ＴＨZ＜ＴＰ0である場合には、図４に示すステップＳ１１において、ステップ１０の判断が実行されてから所定の微少漏れ検出時間が経過したか否かが判断される。所定の時間が経過していない場合には、時間が経過するまでステップＳ９〜Ｓ１１が繰り返される。通常は、バーナ１の燃焼熱によって受熱管１１内の水が加熱されるので、所定の微少漏れ検出時間が経過するまでの間にＴＨZ≧ＴＰ0になる。その結果、ステップ１３へ進む。
【００３１】
しかるに、フローセンサＦＬ１，ＦＬ２が流水量を検出することができない程度に給湯栓１４が開かれている場合、あるいは給湯栓１４が開かれているにも拘わらず、フローセンサＦＬ１，ＦＬ２が故障しているため給湯配管系１０を流れる水を検出することができない場合には、バーナ１の燃焼熱が給湯水管１１内を流れる水によって奪われるため、温度ＴＨZの上昇速度が遅くなり、所定時間経過してもＴＨZ≧ＴＰ0にならない。したがって、所定時間経過した場合には、故障が発生しているものとみなされ、ステップＳ１２において、故障処理が実行される。ここでは、故障処理として燃焼ＯＦＦ、ポンプＯＦＦおよびエラー表示が実行される。そして、プログラムを終了する。
【００３２】
ステップ１３においては、浴槽６の湯の温度ＴＨHRがその設定温度ＴＢ0より高いか否かが判断される。ＴＨHR＜ＴＢ0である場合には、ステップ１４へ進む。一方、ＴＨHR≧ＴＢ0である場合、つまり浴槽６内の湯の温度が設定温度に達した場合には、ステップＳ１５において、追焚スイッチがＯＦＦ操作される。これにより、バーナ１の燃焼が停止され、フレームロッドがＯＦＦ状態になり、追焚が終了する。その後、ステップ１４へ進む。
【００３３】
ステップＳ１４おいては、給湯水管１１内を流れる水（湯）または滞留水（以下、これらを総称して滞留水という。）の温度ＴＨZがポンプＯＮ設定温度ＴＰ0より高いか否かが判断される。この場合、ステップＳ１０においてＴＨZ≧ＴＰ0が判断されているので、ステップ１５においてバーナ１の燃焼が停止されているか、給湯装置に故障が発生しない限りＴＨZ＜ＴＰ0になることはない。
【００３４】
ＴＨZ＞ＴＰ0である場合には、ステップ１６において滞留水の温度ＴＨZが予め定められた所定の第１燃焼停止温度ＴＨ0（ＯＦＦ）より高いか否か、および受熱管１１から吐出される湯の温度ＴＨOUTが所定の第２燃焼停止温度ＴＨ0′（ＯＦＦ）より高いか否かが判断される。
【００３５】
ここで、第１燃焼停止温度ＴＨ0（ＯＦＦ）は、滞留水が沸騰するような事態を防止するための温度であり、例えば８０°Ｃ程度に設定されている。この温度からも明らかなように、上記ポンプＯＮ設定温度よりも高く設定されている。一方、第２燃焼停止温度ＴＨ0′（ＯＦＦ）は、ガスバーナ１が全開状態で追焚燃焼中に、受熱管１１内を給水が微少量（フローセンサＦＬ１，ＦＬ２で検出することができる範囲において最小の流量。例えば１ｌ）だけ流れているものとしたときに、その給水が温度センサＴＨZの設置箇所から温度センサＴＨOUTの設置箇所まで流れる間に上昇する温度上昇分をαとしたとき、ＴＨ0（ＯＦＦ）＋αに設定されている。
【００３６】
このように設定したのは次の理由による。すなわち、出湯管１３に漏れが無い場合には、温度センサＴＨZと温度センサＴＨOUTとはほぼ同一の温度を出力する。したがって、受熱管１１内の滞留水の温度が上昇すると、まずＴＨZ＞ＴＨ0（ＯＦＦ）が検出される。これにより、出湯管１３に漏れが無いことが分かる。なお、ＴＨZ＞ＴＨ0（ＯＦＦ）であると判断されると、後述するように、ガスバーナ１の燃焼が停止される。したがって、漏れがない場合には、ＴＨOUT＞ＴＨ0′（ＯＦＦ）であると判断されることはない。
【００３７】
一方、出湯管１３に微少漏れがある場合、例えば出湯栓１４を誤って微少量だけ開いてしまい、受熱管１１内を１ｌ／ｍｉｎ以下の給水が流れているような場合には、その微少量の給水が温度センサＴＨZの設置箇所から温度センサＴＨOUTの設置箇所まで流れ間に給水の温度がβだけ上昇する。この温度上昇分βは、漏れ量が１ｌ／ｍｉｎであるときの温度上昇分αより大きい。したがって、ＴＨZ＞ＴＨ0（ＯＦＦ）が検出される前に、ＴＨOUT＞ＴＨ0′（ＯＦＦ）が検出される。これにより、フローセンサＦＬ１，ＦＬ２が検出することができない程度の漏れがあることが分かる。
なお、ＴＨOUT＞ＴＨ0′（ＯＦＦ）がＴＨZ＞ＴＨ0（ＯＦＦ）の前に検出された場合には、直ちにガスバーナ１の燃焼を停止させるとともに、故障を表示させるようにしてもよい。
【００３８】
ステップＳ１６においてＴＨZ＞ＴＨ0（ＯＦＦ）またはＴＨOUT＞ＴＨ0′（ＯＦＦ）であると判断された場合には、ステップ１７に進み、バーナ１の燃焼が停止され、フレームロッドがＯＦＦ状態になる。そして、ステップＳ１３に戻る。この結果、ＴＨZ≦ＴＨ0（ＯＮ）、かつＴＨOUT≦ＴＨ0（ＯＮ）になるまで（ステップＳ１８参照）、燃焼ＯＦＦのままポンプ２４が運転される。したがって、滞留水が沸騰するのを防止することができるのみならず、その温度ＴＨZを早急に低下させることができる。しかも、熱交換部２が有する熱（滞留水が有する熱を含む）を利用して浴槽６の湯を加熱することができる。これにより、追焚に要する時間を短縮することができる。そして、再びＴＨZ≦ＴＨ0（ＯＦＦ）、かつＴＨOUT≦ＴＨ0（ＯＦＦ）になると、ステップＳ１６において否定判断されるため、ステップＳ１８へ進む。
【００３９】
ステップ１８においては、温度ＴＨZが第１燃焼ＯＮ温度（追焚燃焼ＯＮ温度）ＴＨ0（ＯＮ）より低いか否かが判断されるとともに、温度ＴＨOUTが第２燃焼ＯＮ温度（追焚燃焼ＯＮ温度）ＴＨ0′（ＯＮ）より低いか否かが判断される。ここで、第１燃焼ＯＮ温度ＴＨ0（ＯＮ）は、ポンプＯＮ設定温度ＴＰ0より高いのは勿論であるが、第１燃焼停止温度ＴＨ0（ＯＦＦ）より若干低い（例えば５°Ｃ程度低い）温度に設定されている。これは、ガスバーナ１の燃焼と燃焼停止とが頻繁に行われるのを防止するためであり、一種のヒステリシスを持たせるためである。ＴＨ0′（ＯＮ）も同様に、第２燃焼停止温度ＴＨ0′（ＯＦＦ）より若干低い（例えば５°Ｃ程度低い）温度に設定されている。
【００４０】
ステップ１８において否定判断された場合、つまりＴＨZ≧ＴＨ0（ＯＮ）とＴＨOUT≧ＴＨ0′（ＯＮ）との少なくとも一方が成立する場合には、ステップ１３に戻り、追焚燃焼が停止されているならば停止状態が続行し、追焚燃焼中であるならば追焚燃焼が続行される。一方、ステップ１８において肯定判断された場合には、ステップＳ１９に進む。
【００４１】
ステップＳ１９においては、追焚スイッチがＯＦＦ操作されているか否かが判断される。ＯＦＦ操作されていない場合には、ステップＳ９に戻り、再びバーナ１に点火され、追焚が再開する。一方、追焚スイッチがＯＦＦ操作されている場合には、ステップＳ１７へ進み、燃焼が停止され、フレームロッドがＯＦＦ状態になる。
【００４２】
ステップ１５において燃焼が停止された場合、およびステップ１９からステップ１７へ進んで燃焼が停止された場合には、バーナ１が再度燃焼することがないので、ステップＳ１３、Ｓ１４，Ｓ１６，Ｓ１８、Ｓ１９およびＳ１７を繰り返すうちに、ポンプ２４によって浴槽６の湯が循環することにより、滞留水の温度ＴＨZが早急に冷却される。そして、ＴＨZ≦ＴＰ0になると、ステップ１４において否定判断されるので、ステップ２０へ進む。
【００４３】
ステップ２０においては、バーナ１の燃焼が停止され、フレームロッドがＯＦＦ状態になる。次に、ステップＳ２１においてポンプ２４が停止される。その後、ステップ２２において保温運転中か否かが判断される。保温運転中である場合には、プログラムが最初から再度実行される。保温運転中でない場合には、プログラムを終了する。
【００４４】
ここで、追焚が終了した後においては、ポンプ２４によって浴槽６の湯が循環されることにより、滞留水の温度ＴＨZがポンプＯＮ設定温度ＴＰ0まで早急に冷却される。したがって、追焚燃焼の後に、給湯栓１４を開いても高温の湯が出るのを防止することができる。しかも、滞留水の温度ＴＨZがポンプＯＮ設定温度より低下すると、ポンプ２４が停止するので、滞留水の温度が自然冷却を除けばポンプＯＮ設定温度に維持される。したがって、給湯開始直後には、流量制御弁ＧＭ１，ＧＭ２を適宜の開度に開いて滞留水と給水とを混合することにより、アンダーシュートを防止することができるのは勿論のこと、出湯温度を設定給湯温度にすることも可能である。換言すれば、流量制御弁ＧＭ１，ＧＭ２で混合できる（設定温度にできる）上限、下限値に基づいてＴＰ0が決定されている。
【００４５】
また、仮に追焚燃焼の直後に追焚スイッチがＯＦＦされてステップ１８の判断が肯定判断になった場合には、ステップＳ１４の判断に基づいてポンプ２４が直ちに停止されるので、浴槽６内の冷水が循環されることがない。したがって、熱交換部２のフィン２ａ等に結露が発生するのを防止することができる。
【００４６】
また、追焚燃焼中に、フローセンサＦＬ１，ＦＬ２が流水量を検出することができない程度に給湯栓１４が誤って開かれた場合には、ステップＳ１８においてＴＨ0′（ＯＦＦ）によって燃焼が停止され、次にステップＳ１６で燃焼が再開されるまでの間に滞留水の温度ＴＨZが、
0003880130.tif 000002
まで低下する。ここで、
ＴＨ0′（ＯＦＦ）−ＴＨ0′（ＯＮ）＝ＴＨ0（ＯＦＦ）−ＴＨ0（ＯＮ）
であるから、温度ＴＨZは、温度ＴＨ0（ＯＮ）より（β−α）の分だけ下がる。この結果、滞留水の温度ＴＨZがポンプＯＮ設定温度ＴＰ0より低下するので（ＴＨ0（ＯＮ）−（β−α）＜ＴＰ0＜ＴＨ0（ＯＮ））、バーナ１の燃焼およびポンプ２４の運転が停止される。したがって、追焚が終了することなく続行するのを防止することができる。しかも、その後にはステップＳ１に戻り、ステップＳ１１，Ｓ１２を経てエラー表示される。
【００４７】
なお、この発明は、上記の実施の形態に限定されるものでなく、適宜変更可能である。例えば、上記の実施の形態においては、追焚燃焼開始直後に滞留水の温度がポンプＯＮ設定温度ＴＰ0より高いか否かを判断している（ステップＳ１０）が、この判断は必ずしも必要ではない。また、ステップ２０における燃焼停止は、安全性をより向上させるためのものであり、必ずしも実行させる必要はない。
【００４８】
また、αの設定は１ｌ／ｍｉｎとし、１ｌ／ｍｉｎ以上の漏れはフローセンサＦＬ１，ＦＬ２の検知により検出しているが、最低作動流量２．５ｌ／ｍｉｎをもとにして第２燃焼停止温度ＴＨ0′（ＯＦＦ）を設定すれば、フローセンサＦＬ１，ＦＬ２で検知できない上限での１ｌ／ｍｉｎ漏れ時におけるＴＨ0（ＯＮ）−ＴＰ0の温度差を大きくとることができる（２．５ｌ／ｍｉｎ流れている時の温度差をγとすると、ＴＨ0′（ＯＦＦ）＝ＴＨ0（ＯＦＦ）＋γ）。
【００４９】
また、温度ＴＨZとＴＨOUTのヒステリシスが同一の例で説明したが、ＴＨOUTの方を大きくしてもよい。この場合も、ＴＨOUTのヒステリシスを大きくすると、ＴＨ0（ＯＮ）−ＴＰ0の温度差を大きくとることができる。また、ＴＨOUTのヒステリシスを小さくする場合には、差分をＴＨ0′（ＯＦＦ）に上乗せを行うことにより、つまり
0003880130.tif 000003
を新たなＴＨ0′（ＯＦＦ）とすることにより、設定温度がＴＨ0（ＯＮ）を上回ることを防ぐことができる。
【００５０】
また、上記の実施の形態は、この発明を追焚燃焼時の制御に適用したものであるが、給湯燃焼終了時にも適用可能である。その場合にも、滞留水の温度ＴＨZがポンプＯＮ設定温度ＴＰ0より高いときにはポンプ２４を運転状態にし、それより低いときにはポンプ２４を停止させておけばよい。そのようにすれば、後沸き減少による再出湯時のオーバーシュートを防止することができ、高温の湯が給湯栓１４から吐出させて使用者に苦痛を与えるのを防止することができる。
【００５１】
【発明の効果】
以上説明したように、本願発明によれば、出湯開始時に高温の湯が出湯されて使用者に苦痛を与えるのを防止することができるのみならず、アンダーシュートが発生するのを防止することができ、しかも追焚に要する時間を短縮することができるという効果が得られる。さらに、熱交換器に結露が発生するのを防止することができるという効果が得られる。
【図面の簡単な説明】
【図１】この発明が適用された一缶二水路式給湯装置の概略構成を示す図である。
【図２】この発明に係る制御方法を説明するためのフローチャートの前半を示す図である。
【図３】同フローチャートの後半の主要部を示す図である。
【図４】同フローチャートの後半の一部を示す図である。
【符号の説明】
１  ガスバーナ（熱発生部）
２  熱交換器（熱交換部）
６  浴槽
１０  給湯配管系
１１  給湯配管系の受熱管
２０  追焚配管系
２１  追焚配管系の受熱管
２４  ポンプ
【図１】
0003880130.tif 000004
【図２】
0003880130.tif 000005
【図３】
0003880130.tif 000006
【図４】
0003880130.tif 000007